(57)【要約】【課題】  対象セルの待ち受けまでの時間を短縮可能な携帯電話端末を提供する。【解決手段】  携帯電話端末１はセル検出を実施する際に、ＣＰＵ１３からベースバンドＬＳＩ１２に対して検出対象の周波数のみを設定する。ベースバンドＬＳＩ１２は無線機１１を介して設定された周波数での周辺セルを検出し、検出したセルのスクランブルコードを判定し、検出対象のセルが検出できたかを判定する。携帯電話端末１は全ての周波数の検出が完了してセルが検出されると、報知情報を取得して、対象セル待ち受けとなる。【選択図】      図１
2006229377.tif 000002
【特許請求の範囲】
【請求項１】
無線機を介して検出対象セルの検出を行う検出手段を含む携帯電話端末であって、
前記検出対象セルの検出を行う際に前記検出手段に検出対象の周波数のみを設定する手段を有し、
前記検出手段は、設定された周波数での周辺セルを検出し、検出したセルのスクランブルコードを判定することを特徴とする携帯電話端末。
【請求項２】
前記検出手段は、前記設定された周波数でのセル検出時に複数のスクランブルコードを同時に判定することを特徴とする請求項１記載の携帯電話端末。
【請求項３】
Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）方式の移動体通信を行うことを特徴とする請求項１または請求項２記載の携帯電話端末。
【請求項４】
前記検出手段は、ベースバンドＬＳＩであることを特徴とする請求項３記載の携帯電話端末。
【請求項５】
無線機を介して検出対象セルの検出を行う検出手段を含む携帯電話端末に用いられる待ち受けセル検出方法であって、
前記携帯電話端末が、前記検出対象セルの検出を行う際に前記検出手段に検出対象の周波数のみを設定する処理を実行し、
前記検出手段が、設定された周波数での周辺セルを検出し、検出したセルのスクランブルコードを判定することを特徴とする待ち受けセル検出方法。
【請求項６】
前記検出手段が、前記設定された周波数でのセル検出時に複数のスクランブルコードを同時に判定することを特徴とする請求項５記載の待ち受けセル検出方法。
【請求項７】
前記携帯電話端末が、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）方式の移動体通信を行うことを特徴とする請求項５または請求項６記載の待ち受けセル検出方法。
【請求項８】
前記検出手段が、ベースバンドＬＳＩであることを特徴とする請求項７記載の待ち受けセル検出方法。
【請求項９】
無線機を介して検出対象セルの検出を行う検出手段を含む携帯電話端末に用いられる待ち受けセル検出方法のプログラムであって、前記携帯電話端末のコンピュータに、前記検出対象セルの検出を行う際に前記検出手段に検出対象の周波数のみを設定する処理を実行させ、前記検出手段に、設定された周波数での周辺セルを検出し、検出したセルのスクランブルコードを判定させるためのプログラム。
【発明の詳細な説明】
【技術分野】
【０００１】
本発明は携帯電話端末及びそれに用いる待ち受けセル検出方法並びにそのプログラムに関し、特にＷ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）方式における待ち受けセルの検出方法に関する。
【背景技術】
【０００２】
Ｗ−ＣＤＭＡ方式では、基地局と移動局との間で無線リンクを接続する際に、まず、移動局が下りリンクの拡散符号同期を確立し、下りリンクの第１共通制御物理チャネル（Ｐ−ＣＣＰＣＨ：Ｐｒｉｍａｒｙ−Ｃｏｍｍｏｎ  Ｃｏｎｔｒｏｌ  Ｐｈｙｓｉｃａｌ  Ｃｈａｎｎｅｌ）の報知チャネル（ＢＣＨ：Ｂｒｏａｄｃａｓｔ  Ｃｈａｎｎｅｌ）情報を復号してから、上りリンクでランダムアクセスチャネル（ＲＡＣＨ：Ｒａｎｄｏｍ  Ａｃｃｅｓｓ  Ｃｈａｎｎｅｌ）を予め規定された送信タイミングで送信し、基地局で上りリンクの拡散符号同期を確立してランダムアクセスチャネルの復号を行い、上り及び下りの無線リンクを確立する。
【０００３】
移動局は電源立ち上げ時、ソフトハンドオーバモードに入る前、あるいは通信待ち受け時における間欠受信モードにおいて、瞬時のフェージング変動を平均化した、長区間変動及びシャドウイング変動によるパスロスが最も小さいセルを検出する必要がある。これは下りリンクにおいて最も受信電力の大きな共通パイロットチャネル（ＣＰＩＣＨ：Ｃｏｍｍｏｎ  Ｐｉｌｏｔ  Ｃｈａｎｎｅｌ）のスクランブルコード（Ｓｃｒａｍｂｌｉｎｇ  Ｃｏｄｅ）を有するセルを検出する処理となる（例えば、特許文献１参照）。
【０００４】
この従来のセル検出方法を図３に示す。つまり、移動局では、セル検出を実施する時にＨＷ（ハードウェア）に対して、周波数とスクランブルコードとを設定することでセル検出を実施し（図３ステップＳ１１）、ＨＷからの検出結果を取得する。移動局は、全てのスクランブルコード（全ｓｃｒｄ）の検出が完了するまで、上記のセル検出を繰り返す（図３ステップＳ１２）。
【０００５】
移動局は全てのスクランブルコードの検出が完了すると、全ての周波数の検出が完了するまで、上記のセル検出を繰り返し（図３ステップＳ１３）、全ての周波数の検出が完了してセルが検出されると（図３ステップＳ１４）、報知情報を取得して（図３ステップＳ１５）、対象セル待ち受けとなる（図３ステップＳ１６）。
【０００６】
この場合、従来のセル検出方法では、検出対象周波数が約３００、１周波数に対して検出対象スクランブルコードが３２個あり、１つのスクランブルコードを検出するための処理時間が１．５ｍｓとなっているので、全周波数を検出するための処理時間が１．５ｍｓ×３２個×３００周波数＝１４．４秒となる。
【０００７】
【特許文献１】特開２００３−１６９３６９号公報
【発明の開示】
【発明が解決しようとする課題】
【０００８】
上述した従来のセル検出方法では、Ｗ−ＣＤＭＡシステムの場合、待ち受け対象の周波数の数が多いため、対象セルの待ち受けまでの時間が長くなっており、この待ち受けまでの時間を短縮することが課題となっている。
【０００９】
そこで、本発明の目的は上記の問題点を解消し、対象セルの待ち受けまでの時間を短縮することができる携帯電話端末及びそれに用いる待ち受けセル検出方法並びにそのプログラムを提供することにある。
【課題を解決するための手段】
【００１０】
本発明による携帯電話端末は、無線機を介して検出対象セルの検出を行う検出手段を含む携帯電話端末であって、
前記検出対象セルの検出を行う際に前記検出手段に検出対象の周波数のみを設定する手段を備え、
前記検出手段が、設定された周波数での周辺セルを検出し、検出したセルのスクランブルコードを判定している。
【００１１】
本発明による待ち受けセル検出方法は、無線機を介して検出対象セルの検出を行う検出手段を含む携帯電話端末に用いられる待ち受けセル検出方法であって、
前記携帯電話端末が、前記検出対象セルの検出を行う際に前記検出手段に検出対象の周波数のみを設定する処理を実行し、
前記検出手段が、設定された周波数での周辺セルを検出し、検出したセルのスクランブルコードを判定している。
【００１２】
本発明による待ち受けセル検出方法のプログラムは、無線機を介して検出対象セルの検出を行う検出手段を含む携帯電話端末に用いられる待ち受けセル検出方法のプログラムであって、前記携帯電話端末のコンピュータに、前記検出対象セルの検出を行う際に前記検出手段に検出対象の周波数のみを設定する処理を実行させ、前記検出手段に、設定された周波数での周辺セルを検出し、検出したセルのスクランブルコードを判定させている。
【００１３】
すなわち、本発明の携帯電話端末は、複数の待ち受け対象周波数及びセルが存在するＷ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）方式において、待ち受けセルの検出時間を短縮することを特徴とする。
【００１４】
本発明の携帯電話端末では、セル検出を実施する時にＨＷ（ハードウェア）［ベースバンドＬＳＩ（大規模集積回路）］に対して、周波数のみを設定してセル検出を実施し、ＨＷからの検出結果を取得する。ＨＷは設定された検出対象周波数において、無線機（アンテナ）を介して検出対象セルを検出し、検出結果を通知する。本発明の携帯電話端末では、この処理を周波数分繰り返すことで、検出対象セルを検出しているので、上述した従来の方法に比べて待ち受けセルの検出時間を短縮することが可能となる。
【発明の効果】
【００１５】
本発明は、以下に述べるような構成及び動作とすることで、対象セルの待ち受けまでの時間を短縮することができるという効果が得られる。
【発明を実施するための最良の形態】
【００１６】
次に、本発明の実施例について図面を参照して説明する。図１は本発明の一実施例による携帯電話端末の構成を示すブロック図である。図１において、本発明の一実施例による携帯電話端末１は無線機（アンテナ）１１と、無線機１１を用いて待ち受けセルの検出処理を実行するベースバンドＬＳＩ（大規模集積回路）１２と、自端末内の各回路の制御や無線にて送受信されるデータの処理を行うＣＰＵ（中央処理装置）１３と、ＣＰＵ１３で処理されるデータやＣＰＵ１３が実行するプログラムを格納するメモリ１４とから構成されている。
【００１７】
従来のセル検出方法では、ＣＰＵ１３からベースバンドＬＳＩ１２に対して検出対象周波数とスクランブルコード（ｓｃｒａｍｂｌｉｎｇ  Ｃｏｄｅ）とを設定することで、待ち受けセルの検出結果を取得している。この場合、ベースバンドＬＳＩ１２は無線機（アンテナ）１１を介して検出対象セルを検出し、その検出結果をＣＰＵ１３に通知する。
【００１８】
これに対して、本実施例では、ＣＰＵ１３からベースバンドＬＳＩ１２に対して検出対象の周波数のみを設定することで、待ち受けセルの検出結果を取得している。ベースバンドＬＳＩ１２は無線機（アンテナ）１１を介して、設定された周波数における検出対象セルを検出し、その検出結果をＣＰＵ１３に通知する。
【００１９】
図２は本発明の一実施例による携帯電話端末１におけるセル検出方法を示すフローチャートである。これら図１及び図２を参照して本発明の一実施例による携帯電話端末１におけるセル検出方法について説明する。尚、図２に示す処理はＣＰＵ１３がメモリ１４のプログラムを実行することで実現可能である。
【００２０】
携帯電話端末１はセル検出を実施する際に、ＣＰＵ１３からベースバンドＬＳＩ１２に対して検出対象の周波数のみを設定する（図２ステップＳ１）。ベースバンドＬＳＩ１２は無線機（アンテナ）１１を介して設定された周波数での周辺セルを検出し、検出したセルのスクランブルコードを判定し（図２ステップＳ２）、検出対象のセルが検出できたかを判定する。
【００２１】
携帯電話端末１は全ての周波数の検出が完了してセルが検出されると（図２ステップＳ３，Ｓ４）、報知情報を取得して（図２ステップＳ５）、対象セル待ち受けとなる（図２ステップＳ６）。
【００２２】
ここで、セル検出においては、検出対象周波数が約３００、１周波数に対して検出対象のスクランブルコードが３２個あり、１つのスクランブルコードを検出するための処理時間が１．５ｍｓになっている。
従来のセル検出方法では、全周波数を検出するための処理時間が、
１．５ｍｓ×３２個×３００周波数＝１４．４秒
になる。
【００２３】
これに対し、本実施例では、１回のセル検出で全てのスクランブルコード（複数のスクランブルコード）を検出して判定処理を行っており、判定処理の処理時間が約３０ｍｓになるので、全周波数を検出するための処理時間が、
（１．５ｍｓ＋３０ｍｓ）×３００周波数＝９．４５秒
になり、従来のセル検出方法よりも約５秒の短縮が可能となる。
【図面の簡単な説明】
【００２４】
【図１】本発明の一実施例による携帯電話端末の構成を示すブロック図である。
【図２】本発明の一実施例による携帯電話端末におけるセル検出方法を示すフローチャートである。
【図３】従来のセル検出方法を示すフローチャートである。
【符号の説明】
【００２５】
１  携帯電話端末
１１  無線機
１２  ベースバンドＬＳＩ
１３  ＣＰＵ
１４  メモリ
【図１】
2006229377.tif 000003
【図２】
2006229377.tif 000004
【図３】
2006229377.tif 000005